(57)【要約】  検知装置２は、携帯電話機１との接続を確立せずに、携帯電話機１の無線ＬＡＮインタフェースから送信されるデータリンク層のフレームを検知し、そのフレームから携帯電話機１の機体識別情報を検出し、検出した機体識別情報をサーバ装置３に送信する。そして、サーバ装置３は、その機体識別子を検出した検知装置２の識別情報に基づいて配信データを選択し、選択した配信データを、機体識別情報の携帯電話機１へ携帯電話網を介して送信する。
2012098802.tif 000002
【特許請求の範囲】
【請求項１】
無線ＬＡＮインタフェースを有する１または複数の携帯電話機と、
前記携帯電話機との接続を確立せずに、前記携帯電話機の無線ＬＡＮインタフェースから送信されるデータリンク層のフレームを検知し、前記フレームから前記携帯電話機の機体識別情報を検出し、検出した前記機体識別情報を前記サーバ装置に送信する１または複数の検知装置と、
前記機体識別子を検出した前記検知装置の識別情報に基づいて配信データを選択し、選択した前記配信データを、前記機体識別情報の前記携帯電話機へ携帯電話網を介して送信するサーバ装置と、
を備えることを特徴とするローカル情報配信システム。
【請求項２】
前記検知装置は、前記携帯電話機の無線ＬＡＮインタフェースから送信される、通信相手を探索するための探索フレームを検知し、前記探索フレームから前記携帯電話機の機体識別情報を検出し、検出した前記機体識別情報を前記サーバ装置に送信することを特徴とする請求項１記載のローカル情報配信システム。
【請求項３】
前記無線ＬＡＮインタフェースは、ＩＥＥＥ８０２．１１規格に準拠するものであり、
前記探索信号は、プローブ要求であり、
前記機体識別子は、前記無線ＬＡＮインタフェースのＭＡＣアドレスであること、
を特徴とする請求項２記載のローカル情報配信システム。
【請求項４】
前記配信データは、前記検知装置の設置場所周辺の案内情報を有し、
前記サーバ装置は、前記機体識別子を検出した前記検知装置の識別情報に予め関連付けられている前記配信データを選択すること、
を特徴とする請求項１から請求項３のうちのいずれか１項記載のローカル情報配信システム。
【請求項５】
表示データを受信し、その表示データに基づく広告を表示するデジタルサイネージを備え、
前記検知装置は、前記デジタルサイネージの近傍に設置され、
前記サーバ装置は、前記表示データを前記デジタルサイネージへ送信するとともに、前記デジタルサイネージの近傍に設置された前記検知装置により前記機体識別情報が検出された前記携帯電話機へ、そのデジタルサイネージに送信される前記表示データに関連付けられている前記配信データを送信すること、
を特徴とする請求項１から請求項４のうちのいずれか１項記載のローカル情報配信システム。
【請求項６】
前記検知装置は、所定期間内に前記複数の携帯電話機の機体識別情報を検出した場合、前記複数の携帯電話機の機体識別情報をまとめて前記サーバ装置に送信することを特徴とする請求項１から請求項５のうちのいずれか１項記載のローカル情報配信システム。
【請求項７】
前記検知装置は、前記フレームを検知したときの前記携帯電話機からの電波の電界強度を検出し、その電界強度情報を前記サーバ装置に送信し、
前記サーバ装置は、前記電界強度情報に基づいて前記配信データを選択すること、
を特徴とする請求項１から請求項６のうちのいずれか１項記載のローカル情報配信システム。
【請求項８】
前記サーバ装置は、所定のエリアにおける前記検知装置から前記機体識別情報を受信してから所定の時間が経過した後に、前記エリアにおける同一または別の前記検知装置から、同一の前記機体識別情報を受信した場合、最初に前記機体識別情報を受信したときに送信した配信データとは別の配信データを、前記携帯電話機へ携帯電話網を介して送信することを特徴とする請求項１から請求項７のうちのいずれか１項記載のローカル情報配信システム。
【発明の詳細な説明】
【技術分野】
【０００１】
本発明は、ローカル情報配信システムに関するものである。
【背景技術】
【０００２】
近年の公衆無線ＬＡＮの発展に伴い、公衆無線ＬＡＮを利用して配信データをユーザ端末へ送信して広告を行うシステムが提案されている（例えば特許文献１参照）。【０００３】
そのようなシステムでは、ユーザが公衆無線ＬＡＮの接続サービスに予め加入し、ユーザが認証情報（ＳＳＩＤ（Service Set ID）、パスワード、ＷＥＰ（Wi-Fi Protected Access）キーなど）をユーザ端末に登録しておくことで、ユーザ端末が、その公衆無線ＬＡＮの接続サービスのアクセスポイントと接続可能になる。そして、ユーザ端末が公衆無線ＬＡＮの接続サービスのアクセスポイントに接続すると、その公衆無線ＬＡＮを介して、配信データをそのユーザ端末に送信する。
【先行技術文献】
【特許文献】
【０００４】
【特許文献１】特開２００４−２８０６５２号公報
【発明の概要】
【０００５】
しかしながら、上述のシステムでは、ユーザ端末が公衆無線ＬＡＮの接続サービスのアクセスポイントに接続した後でないと、配信データをそのユーザ端末に送信することができない。このため、ユーザが公衆無線ＬＡＮの接続サービスに加入していることが前提となるとともに、ユーザ端末が公衆無線ＬＡＮのアクセスポイントに接続しなければ、配信データをユーザ端末へ送信することが困難である。
【０００６】
本発明は、上記の問題に鑑みてなされたものであり、公衆無線ＬＡＮのアクセスポイントに接続していなくてもローカル情報をユーザに提供することができるローカル情報配信システムを得ることを目的とする。
【０００７】
上記の課題を解決するために、本発明では以下のようにした。
【０００８】
本発明に係るローカル情報配信システムは、無線ＬＡＮインタフェースを有する１または複数の携帯電話機と、携帯電話機との接続を確立せずに、携帯電話機の無線ＬＡＮインタフェースから送信されるデータリンク層のフレームを検知し、そのフレームから携帯電話機の機体識別情報を検出し、検出した機体識別情報をサーバ装置に送信する１または複数の検知装置と、機体識別子を検出した検知装置の識別情報に基づいて配信データを選択し、選択した配信データを、機体識別情報の携帯電話機へ携帯電話網を介して送信するサーバ装置とを備える。
【０００９】
これにより、公衆無線ＬＡＮのアクセスポイントに接続していなくてもローカル情報をユーザに提供することができる。
【００１０】
また、本発明に係るローカル情報配信システムは、上記のローカル情報配信システムのいずれかに加え、次のようにしてもよい。この場合、検知装置は、携帯電話機の無線ＬＡＮインタフェースから送信される、通信相手を探索するための探索フレームを検知し、探索フレームから携帯電話機の機体識別情報を検出し、検出した機体識別情報をサーバ装置に送信する。
【００１１】
また、本発明に係るローカル情報配信システムは、上記のローカル情報配信システムのいずれかに加え、次のようにしてもよい。この場合、無線ＬＡＮインタフェースは、ＩＥＥＥ８０２．１１規格に準拠するものであり、探索信号は、プローブ要求であり、機体識別子は、無線ＬＡＮインタフェースのＭＡＣアドレスである。
【００１２】
また、本発明に係るローカル情報配信システムは、上記のローカル情報配信システムのいずれかに加え、次のようにしてもよい。この場合、配信データは、検知装置の設置場所周辺の案内情報を有し、サーバ装置は、機体識別子を検出した検知装置の識別情報に予め関連付けられている配信データを選択する。
【００１３】
また、本発明に係るローカル情報配信システムは、上記のローカル情報配信システムのいずれかに加え、次のようにしてもよい。この場合、ローカル情報配信システムは、表示データを受信し、その表示データに基づく広告を表示するデジタルサイネージをさらに備える。そして、検知装置は、デジタルサイネージの近傍に設置され、サーバ装置は、表示データをデジタルサイネージへ送信するとともに、デジタルサイネージの近傍に設置された検知装置により機体識別情報が検出された携帯電話機へ、そのデジタルサイネージに送信される表示データに関連付けられている配信データを送信する。
【００１４】
これにより、デジタルサイネージによる広告に連携するローカル情報を、そのデジタルサイネージ付近にいるユーザへ提供することができる。
【００１５】
また、本発明に係るローカル情報配信システムは、上記のローカル情報配信システムのいずれかに加え、次のようにしてもよい。この場合、検知装置は、所定期間内に複数の携帯電話機の機体識別情報を検出した場合、複数の携帯電話機の機体識別情報をまとめてサーバ装置に送信する。
【００１６】
これにより、検知装置において短時間に多くの携帯電話機が検出されても、検知装置からサーバ装置へのトラフィックの増加が抑制される。
【００１７】
また、本発明に係るローカル情報配信システムは、上記のローカル情報配信システムのいずれかに加え、次のようにしてもよい。この場合、検知装置は、フレームを検知したときの携帯電話機からの電波の電界強度を検出し、その電界強度情報をサーバ装置に送信する。そして、サーバ装置は、その電界強度情報に基づいて配信データを選択する。
【００１８】
これにより、検知装置からのユーザの位置に応じて検知装置により検出される電界強度が変化するため、ユーザの位置に応じた配信データを選択することができる。
【００１９】
また、本発明に係るローカル情報配信システムは、上記のローカル情報配信システムのいずれかに加え、次のようにしてもよい。この場合、サーバ装置は、所定のエリアにおける検知装置から機体識別情報を受信してから所定の時間が経過した後に、そのエリアにおける同一または別の検知装置から、同一の機体識別情報を受信した場合、最初に機体識別情報を受信したときに送信した配信データとは別の配信データを、携帯電話機へ携帯電話網を介して送信する。
【００２０】
これにより、ユーザの位置が長時間あまり移動していない場合、検知装置の設置位置でサービスを享受したことが推定され、サービスを享受したユーザに対して、特定のローカル情報を提供することができる。
【００２１】
以上のように、本発明によれば、ローカル情報配信システムにおいて、公衆無線ＬＡＮのアクセスポイントに接続していなくてもローカル情報（地域情報、店舗固有の情報など）をユーザに提供することができる。
【図面の簡単な説明】
【００２２】
【図１】図１は、本発明の実施の形態に係るローカル情報配信システムの構成を示すブロック図である。
【図２】図２は、図１における携帯電話機の構成を示すブロック図である。
【図３】図３は、図１における検知装置の構成を示すブロック図である。
【図４】図４は、図１におけるサーバ装置の構成を示すブロック図である。
【図５】図５は、図１に示すシステムによるローカル情報の配信について説明するシーケンス図である。
【発明を実施するための形態】
【００２３】
以下、図に基づいて本発明の実施の形態を説明する。
【００２４】
図１は、本発明の実施の形態に係るローカル情報配信システムの構成を示すブロック図である。
【００２５】
図１に示すシステムにおいて、携帯電話機１は、携帯電話網１１の基地局１２と接続し、携帯電話網１１を介して、通話およびデータ通信を実行可能な端末装置であって、さらに、無線ＬＡＮインタフェースを有する。例えば、携帯電話機１は、スマートフォンなどである。なお、図１においては、携帯電話機１は１台であるが、システム内に複数の携帯電話機１が存在してもよい。携帯電話機１は、ユーザに携帯されるため、ユーザとともに移動する。
【００２６】
また、検知装置２は、携帯電話機１の無線ＬＡＮインタフェースの通信可能範囲１ａにこの検知装置２が入ると、携帯電話機１との接続を確立せずに、携帯電話機１の無線ＬＡＮインタフェースから送信されるデータリンク層のフレームを検知し、フレームから携帯電話機の機体識別情報を検出し、検出した機体識別情報をサーバ装置３に送信する。この実施の形態では、ＩＥＥＥ８０２．１１規格に準拠するデータリンク層のフレームが検知される。
【００２７】
例えば、検知装置２は、携帯電話機１の無線ＬＡＮインタフェースからブロードキャストで送信される、通信相手を探索するための探索フレームを検知し、その探索フレームから携帯電話機１の機体識別情報を検出する。
【００２８】
このシステムでは、携帯電話機１は公衆無線ＬＡＮ基地局１４に接続する必要は特にないが、例えば、検知装置２は、携帯電話機１が公衆無線ＬＡＮ基地局１４に接続している場合、携帯電話機１と公衆無線ＬＡＮ基地局１４との間で送受されるデータフレームを傍受し、そのデータフレームから携帯電話機１の機体識別情報を検出する。なお、携帯電話機１と公衆無線ＬＡＮ基地局１４との間では、無線ＬＡＮの通信規格により規定される全チャネルのうちの１つが固定的に使用されるため、データフレームを検知する場合、検知装置２は、その全チャネルのフレームを監視することが好ましい。ただし、データフレームを検知する場合であっても、検知装置２が一部のチャネルのフレームだけを監視するようにしてもよい。
【００２９】
検知装置２は、案内情報などの情報をユーザに提供したい場所に設置される。なお、図１においては、検知装置２は、１台であるが、システム内に複数の検知装置２が存在してもよい。また、検知装置２は、検出した携帯電話機１の機体識別情報を、この検知装置２に固有な識別情報とともに、インターネット１３を介してサーバ装置３へ送信する。
【００３０】
サーバ装置３は、検知装置２により検出された携帯電話機１の機体識別子と、その検知装置２の識別情報とをその検知装置２からインターネット１３を介して受信し、その検知装置２の識別情報に基づいて配信データを選択し、選択した配信データを、その機体識別情報の携帯電話機１へ携帯電話網１１を介して送信する。
【００３１】
図２は、図１における携帯電話機１の構成を示すブロック図である。
【００３２】
携帯電話機１は、ベースバンド回路２１と、無線ＬＡＮインタフェース２２と、演算処理装置２３と、表示装置２４とを備える。
【００３３】
ベースバンド回路２１は、携帯電話網１１の基地局１２との通信を行う通信回路である。携帯電話機１が携帯電話網１１のエリア内に存在すれば、常時、ベースバンド回路２１により、携帯電話網１１での通信が可能になる。
【００３４】
無線ＬＡＮインタフェース２２は、所定の無線ＬＡＮ規格の通信回路である。この実施の形態では、無線ＬＡＮインタフェース２２は、ＩＥＥＥ８０２．１１ｂやＩＥＥＥ８０２．１１ｇといったＩＥＥＥ８０２．１１規格に準拠した通信回路であり、公衆無線ＬＡＮ基地局１４との間でデータリンク層のフレームを送受したり、インフラストラクチャモードで動作し、アクティブスキャンで無線ＬＡＮ基地局を探索するために、定期的に繰り返しプローブ要求をブロードキャストで送出する。
【００３５】
演算処理装置２３は、ＣＰＵ（Central Processing Unit）、ＲＯＭ（Read Only Memory）、ＲＡＭ（Random Access Memory）などを有し、図示せぬ記憶装置やＲＯＭからＲＡＭにプログラムをロードして実行して、各種処理部を実現する。この実施の形態では、演算処理装置２３において、ローカル情報受信部３１が実現される。ローカル情報受信部３１は、ベースバンド回路２１を介して携帯電話網１１で配信データを受信する。
【００３６】
表示装置２４は、携帯電話機１の筐体に配置されている液晶ディスプレイなどの装置であって、配信データを表示する。
【００３７】
図３は、図１における検知装置２の構成を示すブロック図である。
【００３８】
検知装置２は、無線ＬＡＮ通信装置４１と、ネットワーク通信装置４２とを備える。
【００３９】
無線ＬＡＮ通信装置４１は、携帯電話機１の無線ＬＡＮインタフェース２２から送信される無線信号を受信する。無線ＬＡＮ通信装置４１は、フレーム検出部５１、ＭＡＣアドレス抽出部５２、および検出機器通知部５３を有する。
【００４０】
フレーム検出部５１は、携帯電話機１の無線ＬＡＮインタフェース２２から送信されてきた無線信号からプローブ要求のフレーム、データフレームなどのデータリンク層のフレームを検出する。
【００４１】
ＭＡＣアドレス抽出部５２は、フレーム検出部５１により検出されたフレームから携帯電話機１の機体識別情報を抽出する。この実施の形態では、プローブ要求などのフレームから、送信元のＭＡＣ（Media Access Control）アドレスが、送信元である携帯電話機１に固有な機体識別情報として抽出される。
【００４２】
検出機器通知部５３は、ＭＡＣアドレス抽出部５２により抽出された携帯電話機１の機体識別情報を、当該検知装置２の識別情報とともに、ネットワーク通信回路４２を使用してサーバ装置３へ送信する。
【００４３】
ネットワーク通信装置４２は、インターネット１３を介して、サーバ装置３と通信可能な、ネットワークインタフェース、モデムなどといった装置である。
【００４４】
図４は、図１におけるサーバ装置３の構成を示すブロック図である。
【００４５】
サーバ装置３は、ネットワーク通信装置６１と、電話網通信装置６２と、記憶装置６３と、演算処理装置６４とを備える。
【００４６】
ネットワーク通信装置６１は、インターネット１３を介して、検知装置２と通信可能な、ネットワークインタフェース、モデムなどといった装置である。
【００４７】
電話網通信装置６２は、公衆交換電話網などを介して携帯電話網１１に接続可能なモデムなどといった通信装置である。
【００４８】
記憶装置６３は、ハードディスクドライブ、不揮発性半導体メモリ、ディスクアレイなどの大容量記憶装置であり、ユーザデータ７１、検知装置データ７２、配信データ７３などを記憶している。
【００４９】
ユーザデータ７１は、正規ユーザのそれぞれについて、そのユーザの識別情報（ユーザＩＤ、氏名など）、そのユーザの携帯電話機１の機体識別情報（ここではＭＡＣアドレス）、そのユーザの携帯電話機１の、携帯電話網１１での識別情報（プッシュ型電子メールサービスの電子メールアドレス、電話番号など）、配信データの設定情報などを有する。設定情報は、そのユーザに提供する配信データの種別などを有する。この配信データの種別により、例えば、データ形式（テキスト形式、画像形式など）や、ローカル情報のカテゴリ（店舗情報、商品情報、クーポン情報など）が指定される。
【００５０】
検知装置データ７２は、検知装置２のそれぞれについて、検知装置２の識別情報、検知装置２の設置位置、検知装置２に関連付けられる配信データの識別情報などを有する。
【００５１】
配信データ７３は、識別情報（シリアル番号、ファイル名、エリア名、配信データの種別など）に関連付けられて記憶され、検知装置２の設置場所周辺の案内情報などのローカル情報を有するデータである。
【００５２】
演算処理装置６４は、ＣＰＵ、ＲＯＭ、ＲＡＭなどを有し、図示せぬ記憶装置、記憶装置６３、ＲＯＭなどからＲＡＭにプログラムをロードして実行して、各種処理部を実現する。この実施の形態では、演算処理装置６４において、機器判定部８１、配信データ選択部８２、および配信データ送信部８３が実現される。
【００５３】
機器判定部８１は、ユーザデータ７１を参照して、検知装置２から受信された携帯電話機１の機体識別情報が、正規ユーザの携帯電話機１の機体識別情報であるか否かを判定する。
【００５４】
配信データ選択部８２は、検知装置データ７２を参照して、機器判定部８１により正規ユーザの携帯電話機１の機体識別情報であると判定された機体識別情報とともに検知装置２から受信された検知装置２の識別情報に関連付けられている配信データ７３を選択する。
【００５５】
このとき、配信データ選択部８２は、その検知装置２の識別情報に関連付けられている配信データ７３のうち、ユーザデータ７１における設定情報により指定される種別の配信データ７３のみを選択するようにしてもよい。
【００５６】
配信データ送信部８３は、ユーザデータ７１を参照して、その携帯電話機１の機体識別情報に対応する携帯電話網１１での識別情報を特定し、配信データ選択部８２により選択された配信データ７３を、その特定した携帯電話網１１での識別情報で指定される携帯電話機１へ所定の通信方式で送信する。例えば、この所定の通信方式としては、携帯電話機１に関連付けられた電子メールアドレスを使用するプッシュ型の電子メールサービス、携帯電話機１の電話番号を使用するショートメッセージサービスなどが考えられ、配信データ送信部８３は、プッシュ型の電子メールサービスの場合、ネットワーク通信装置６１を使用して配信データ７３を送信し、ショートメッセージサービスの場合、電話網通信装置６２を使用して配信データ７３を送信する。
【００５７】
次に、上記システムによるローカル情報の配信について説明する。
【００５８】
図５は、図１に示すシステムによるローカル情報の配信について説明するシーケンス図である。ここでは、検知装置２が、携帯電話機１からブロードキャストされるプローブ要求のフレームを検出する例について説明する。なお、携帯電話機１と公衆無線ＬＡＮ基地局１４との間で送受されるフレームを傍受する場合も同様にして、傍受したフレームから携帯電話機１のＭＡＣアドレスが検出される。
【００５９】
携帯電話機１の無線ＬＡＮインタフェース２２は、定期的にプローブ要求を送出する（ステップＳ１）。携帯電話機１はユーザに携帯されて移動する。
【００６０】
そして、携帯電話機１の通信可能範囲１ａに検知装置２が存在すると、その検知装置２において、フレーム検出部５１が、そのプローブ要求のフレームを検出し、ＭＡＣアドレス抽出部５２は、そのプローブ要求のフレームから、その携帯電話機１のＭＡＣアドレスを抽出する（ステップＳ２）。そして、検出機器通知部５３は、そのＭＡＣアドレスを、当該検知装置２の識別情報とともに、ネットワーク通信回路４２を使用してサーバ装置３へ送信する（ステップＳ３）。
【００６１】
サーバ装置３では、機器判定部８１が、ネットワーク通信装置６１を使用して、そのＭＡＣアドレスと検知装置２の識別情報とを受信し、ユーザデータ７１を参照して、そのＭＡＣアドレスが、正規ユーザの携帯電話機１のＭＡＣアドレスであるか否かを判定する（ステップＳ４）。ここで、そのＭＡＣアドレスが正規ユーザの携帯電話機１のＭＡＣアドレスではない場合には、機器判定部８１は、受信されたそのＭＡＣアドレスを破棄する。
【００６２】
一方、受信されたそのＭＡＣアドレスが正規ユーザの携帯電話機１のＭＡＣアドレスである場合には、配信データ選択部８２は、検知装置データ７２を参照して、そのＭＡＣアドレスとともに受信された検知装置２の識別情報に関連付けられている配信データ７３を選択する（ステップＳ５）。
【００６３】
配信データ７３が選択されると、配信データ送信部８３は、ユーザデータ７１を参照して、その携帯電話機１の機体識別情報に対応する携帯電話網１１での識別情報を特定し、選択された配信データ７３を、その特定した携帯電話網１１での識別情報で指定される携帯電話機１へ所定の通信方式で送信する（ステップＳ６）。
【００６４】
この配信データ７３は携帯電話網１１で送信されるため、携帯電話機１によりただちに受信され、その受信がユーザに対して画面表示や音響で報知される。
【００６５】
携帯電話機１では、ローカル情報受信部３１が、その配信データを受信し、携帯電話機１に対してユーザが所定の操作を行ったとき、あるいは、受信されるとただちに、その配信データ（ローカル情報）を表示装置２４に表示する（ステップＳ７）。
【００６６】
以上のように、上記実施の形態によれば、検知装置２は、携帯電話機１との接続を確立せずに、携帯電話機１の無線ＬＡＮインタフェース２２から送信されるデータリンク層のフレームを検知し、そのフレームから携帯電話機１の機体識別情報を検出し、検出した機体識別情報をサーバ装置３に送信する。そして、サーバ装置３は、その機体識別子を検出した検知装置２の識別情報に基づいて配信データ７３を選択し、選択した配信データ７３を、機体識別情報の携帯電話機１へ携帯電話網１１を介して送信する。
【００６７】
これにより、公衆無線ＬＡＮのアクセスポイントに接続していなくてもローカル情報をユーザに提供することができる。
【００６８】
なお、上述の実施の形態は、本発明の好適な例であるが、本発明は、これらに限定されるものではなく、本発明の要旨を逸脱しない範囲において、種々の変形、変更が可能である。
【００６９】
例えば、上記実施の形態に示すシステムは、デジタルサイネージをさらに備えるようにしてもよい。デジタルサイネージは、通信装置とディスプレイ装置とを有し、その通信装置でインターネット１３などを介して表示データを受信し、そのディスプレイ装置でその表示データに基づく広告を表示する。そして、検知装置２は、そのデジタルサイネージの近傍に設置され、サーバ装置３は、表示データをデジタルサイネージへ送信するとともに、デジタルサイネージの近傍に設置された検知装置２により機体識別情報が検出された携帯電話機１へ、そのデジタルサイネージに送信される表示データに関連付けられている配信データを送信する。これにより、デジタルサイネージによる広告に連携する配信データ７３を、そのデジタルサイネージ付近にいるユーザの携帯電話機１へ送信することができる。
【００７０】
また、上記実施の形態において、検知装置２は、所定期間内に複数の携帯電話機１の機体識別情報を検出した場合、複数の携帯電話機の機体識別情報をまとめてサーバ装置３に送信するようにしてもよい。これにより、検知装置２において短時間に多くの携帯電話機１が検出されても、検知装置２からサーバ装置３へのトラフィックの増加が抑制される。
【００７１】
また、上記実施の形態において、検知装置２は、検出した機体識別情報が検出されてから所定時間、同一の機体識別情報が検出されても、サーバ装置３に送信しないようにしてもよい。これにより、検知装置２からサーバ装置３へのトラフィックの増加が抑制される。
【００７２】
また、上記実施の形態において、検知装置２は、検出した機体識別情報が検出されてからその機体識別情報が検出されなくなってから次にその機体識別情報が検出されるまで、同一の機体識別情報が検出されても、サーバ装置３に送信しないようにしてもよい。これにより、検知装置２からサーバ装置３へのトラフィックの増加が抑制される。
【００７３】
また、上記実施の形態において、サーバ装置３は、複数の検知装置２により同一の機体識別情報が複数回検出された場合に、同一の配信データを選択したときには、１回だけその配信データを、その機体識別情報を有する携帯電話機１へ送信するようにしてもよい。
【００７４】
また、上記実施の形態においては、サーバ装置３から携帯電話網１１を介して携帯電話機１へ配信データを送る際に、プッシュ型の電子メールサービスおよびショートメッセージサービスを例示しているが、アップル社やマイクロソフト社により提供されているプッシュノーティフィケーション（Push Notification）や、グーグル社により提供されているクラウド・トゥ・デバイスメッセージング（Cloud to Device Messaging）といった通信方式で配信データを、携帯電話網１１を介してサーバ装置３から携帯電話機１へ送信するようにしてもよい。その場合、配信データを受信するアプリケーションが携帯電話機１に予めインストールされ、携帯電話機１が受信すべき配信データがあるときに、そのアプリケーションが起動され、そのアプリケーションにより配信データが受信される。
【００７５】
また、上記実施の形態において、検知装置２は、無線ＬＡＮ通信装置４１における図示せぬ無線通信回路で、携帯電話機１からのフレームを検知したときの携帯電話機１からの電波の電界強度を検出し、その電界強度情報をサーバ装置３に送信するようにし、サーバ装置３は、その電界強度情報を機体識別情報とともに受信し、その電界強度情報に基づいて配信データを選択するようにしてもよい。
【００７６】
これにより、例えば、検知装置２が店舗内に設置されている場合、ユーザの位置が店舗内か店舗外かを推定することができ、店舗内にいるユーザと店舗外にいるユーザに対して異なるローカル情報を提供することができる。例えば、店舗内にいると推定されるユーザには、おすすめの料理などのメニューが提供され、店舗外にいると推定されるユーザには、利用可能な期間が限定された時間限定クーポンが提供される。
【００７７】
また、上記実施の形態において、１または複数の検知装置２を所定のエリアに設置し、検知装置２が設置されているエリアを示す設置エリア情報を、検知装置データ７２に含めておき、サーバ装置３は、そのエリアにおける検知装置２から機体識別情報を受信してから所定の時間（例えば１時間）が経過した後に、そのエリアにおける同一または別の検知装置２から、同一の機体識別情報を受信した場合、最初に機体識別情報を受信したときに送信した配信データとは別の配信データを、携帯電話機３へ携帯電話網１１を介して送信するようにしてもよい。
【００７８】
これにより、例えば、検知装置が店舗内に設置されている場合、ユーザがその店舗のサービスを享受したことを検知でき、サービスを享受したユーザに対する特定のローカル情報（例えば次回のサービス利用時に使用可能なクーポンなど）を提供することができる。
【産業上の利用可能性】
【００７９】
本発明は、例えば、ユーザの所在する地域のローカルな案内情報の配信に適用可能である。
【図１】
2012098802.tif 000003
【図２】
2012098802.tif 000004
【図３】
2012098802.tif 000005
【図４】
2012098802.tif 000006
【図５】
2012098802.tif 000007
【国際調査報告】
2012098802.tif 000008
2012098802.tif 000009
2012098802.tif 000010
2012098802.tif 000011